(57)【要約】【課題】起動後初期に明るく点灯することのできるショートアーク型超高圧水銀灯を提供し、該ショートアーク型超高圧水銀灯を用いた光源装置を提供する。また、起動後初期にスクリーン輝度を十分に上げることのできる投射型画像表示装置を提供する。【解決手段】水銀とハロゲン物質と希ガスとが封入された空間１２内に２本の電極２１が対向配置されてなるショートアーク型超高圧水銀灯１０において、前記希ガスとして、Ｘｅが３００Ｋで４０ｋＰａ〜１５２０ｋＰａ（０．４〜１５ａｔｍ）となる圧力で前記空間１２内に封入されている。【選択図】図１
2008103159.tif 000002
【特許請求の範囲】
【請求項１】
水銀とハロゲン物質と希ガスとが封入された空間内に２本の電極が対向配置されてなるショートアーク型超高圧水銀灯において、
前記希ガスとして、Ｘｅが３００Ｋで４０ｋＰａ〜１５２０ｋＰａ（０．４〜１５ａｔｍ）となる圧力で前記空間内に封入されていることを特徴とするショートアーク型超高圧水銀灯。
【請求項２】
水銀とハロゲン物質と希ガスとが封入された空間内に２本の電極が対向配置されてなるショートアーク型超高圧水銀灯において、
前記希ガスとして、ＡｒまたはＫｒが３００Ｋで６６ｋＰａ〜１０１ｋＰａ（０．６５〜１ａｔｍ）となる圧力で前記空間内に封入されていることを特徴とするショートアーク型超高圧水銀灯。
【請求項３】
請求項１または２に記載のショートアーク型超高圧水銀灯と、該ショートアーク型超高圧水銀灯の発する光を反射するリフレクタとを備えることを特徴とする光源装置。
【請求項４】
請求項３に記載の光源装置を搭載したことを特徴とする投射型画像表示装置。
【発明の詳細な説明】
【技術分野】
【０００１】
本発明は、ショートアーク型超高圧水銀灯、光源装置及び投射型画像表示装置に関するものである。
【背景技術】
【０００２】
現在、液晶プロジェクタに使われている光源装置（以後、ランプともいう）の主流は超高圧水銀ランプである。このランプに使用されるショートアーク型超高圧水銀放電灯は、始動用ならびに蒸発用バッファガスとなる希ガスとして、主にアルゴン（Ａｒ）やキセノン（Ｘｅ）、クリプトン（Ｋｒ）の少なくとも１種以上が３００Ｋにおいて減圧封入され、他に主として発光をつかさどる水銀（Ｈｇ）とハロゲンサイクル用の臭化水銀などのハロゲン化物が封入されている（例えば、特許文献１参照。）。
【０００３】
この超高圧水銀放電灯においては、起動後まずＡｒガスなどの希ガスが放電〜発光し、電極が主にイオン衝撃によって加熱され、この熱が発光管内部の温度上昇させることで水銀が蒸発してプラズマ状態となりアーク放電を形成していく。
【０００４】
【特許文献１】特開２００５−３２７５４７号公報
【発明の開示】
【発明が解決しようとする課題】
【０００５】
しかしながら、超高圧水銀放電灯における起動後初期の希ガスによる発光では、液晶プロジェクタのスクリーン輝度が充分に上がらず、その後に水銀が発光し始めるまでプロジェクタの画面が目視上出画せず、他の画像表示（テレビ）方式に比べ出画時間が劣っていた。例えば、前回起動状態ＯＦＦからの冷却時間が短ければ水銀の蒸発が残っており、早い段階で水銀発光が始まるので再起動が比較的速いが、逆に冷却時間が長ければ水銀は液化凝縮しているので発光が始まるまでに１０秒以上かかることもあり、出画時間が不安定であった。
【０００６】
本発明は、以上の従来技術における問題に鑑みてなされたものであり、起動後初期に明るく点灯することのできるショートアーク型超高圧水銀灯を提供し、該ショートアーク型超高圧水銀灯を用いた光源装置を提供することを目的とする。また、起動後初期にスクリーン輝度を十分に上げることのできる投射型画像表示装置を提供することを目的とする。
【課題を解決するための手段】
【０００７】
前記課題を解決するために提供する本発明は、水銀とハロゲン物質と希ガスとが封入された空間内に２本の電極が対向配置されてなるショートアーク型超高圧水銀灯において、前記希ガスとして、Ｘｅが３００Ｋで４０ｋＰａ〜１５２０ｋＰａ（０．４〜１５ａｔｍ）となる圧力で前記空間内に封入されていることを特徴とするショートアーク型超高圧水銀灯である。
【０００８】
また前記課題を解決するために提供する本発明は、水銀とハロゲン物質と希ガスとが封入された空間内に２本の電極が対向配置されてなるショートアーク型超高圧水銀灯において、前記希ガスとして、ＡｒまたはＫｒが３００Ｋで６６ｋＰａ〜１０１ｋＰａ（０．６５〜１ａｔｍ）となる圧力で前記空間内に封入されていることを特徴とするショートアーク型超高圧水銀灯である。
【０００９】
また前記課題を解決するために提供する本発明は、請求項１または２に記載のショートアーク型超高圧水銀灯と、該ショートアーク型超高圧水銀灯の発する光を反射するリフレクタとを備えることを特徴とする光源装置である。
【００１０】
また前記課題を解決するために提供する本発明は、請求項３に記載の光源装置を搭載したことを特徴とする投射型画像表示装置である。
【発明の効果】
【００１１】
本発明のショートアーク型超高圧水銀灯によれば、希ガスの封入圧力をアップさせることにより、点灯直後から希ガスの発光による輝度が上がり、起動後１０ｓｅｃ以降の水銀による発光が始まるまでの間も明るく点灯することができる。
従って、このショートアーク型超高圧水銀灯をリフレクタ付きランプに組み込み、液晶プロジェクタなどの投射型画像表示装置に搭載した場合は、起動後直ちにスクリーン輝度が立ち上がり、出画時間が従来ＴＶ並み以上に高速化でき、なおかつ事前の起動からの冷却時間によらず安定化させることができる。
【発明を実施するための最良の形態】
【００１２】
発明者らが従来のショートアーク型超高圧水銀放電の起動初期の輝度について解析したところ、スクリーン輝度は希ガスの封入圧力増に対し自然対数カーブで高くなることがわかった。また、希ガスとして主に使われているＡｒガスは、その液化温度（沸点）の低さ（−１８６℃）から、放電灯製造（封止）プロセスにおいて封入圧力を上げることが困難と言われており、例えば１３．３ｋＰａ（１００ｔｏｒｒ）程度の封入圧力のものが主流となっていた。従って、このような液晶プロジェクタを起動すると、減圧のＡｒガスによる発光強度は弱く、スクリーン輝度が目視上、出画認識できるレベルまで上がらず、放電灯の水銀が発光し始めるまでの時間が、そのまま出画時間となっていることがわかった。
【００１３】
そこで、発明者らはこの知見を基に、ショートアーク型超高圧水銀（放電）灯を使用した光源装置（リフレクター付きランプ）を搭載する投射型画像表示装置（液晶プロジェクタ）における出画（スクリーン輝度立ち上がり）時間を短くすることを目的として鋭意検討を行い、本発明を成すに至った。
以下に、本発明に係るショートアーク型超高圧水銀灯の構成について説明する。
【００１４】
図１は、本発明に係るショートアーク型超高圧水銀灯の構成を示す概略図である。
図１に示すように、ショートアーク型超高圧水銀灯１０は、透光性かつ耐火性の気密容器の放電管である石英管（石英バルブ）１１で形成された発光空間１２内に２本の電極２１がお互いの先端部が所定距離間隔で対向するように配置されており、電極２１の反対側の端部にはそれぞれ芯軸２２、Ｍｏ箔２３、リード線２４が接続され、外部電源とつながるようになっている。なお、石英管１１は１本の管であって、その中央部が膨らんで発光空間１２を構成し、発光空間１２の両側が枝管部となっている。
【００１５】
ここで、発光空間１２は、気密構造となっており、その内部に発光物質である水銀、Ｉ，Ｂｒなどのハロゲンが封入されている。また、始動補助用としての希ガスが封入されており、本発明ではＸｅが３００Ｋの静状態において４０ｋＰａ〜１５２０ｋＰａ（０．４〜１５ａｔｍ）となる圧力で発光空間１２内に封入されている。このとき、３００Ｋの静状態において６６ｋＰａ〜１０１ｋＰａ（０．６５〜１ａｔｍ）となる封入圧力であることがより好ましい。Ｘｅ圧が上がれば上がるほど、ショートアーク型超高圧水銀灯起動直後のＸｅ放電による輝度は高くなり良好であるが、１．５ＭＰａ（１５気圧）を超えると、水銀発光時の圧力と併せて２５０気圧を超える場合があり、この状況下では石英管封止部の耐圧を超えてしまう。またＸｅ封入圧が低すぎると、スクリーン輝度が充分に得られない。さらにＸｅ封入圧が大気圧より陽圧（高圧）の場合は、ショートアーク型超高圧水銀灯の点灯時間と共に石英管１１とＭｏ箔２３の封止部分からの剥離が進行し、封止部の信頼性に問題が生じる可能性があるばかりか、水銀がＭｏ箔２３にまで滲入し、再点灯時の水銀蒸発量や蒸発安定までの時間が不安定になるなど発光特性にも影響が生じる。従って、Ｘｅ封入圧は、液晶プロジェクタ起動後、ショートアーク型超高圧水銀灯（発光管）内の水銀が発光するまでの間に所望のスクリーン輝度が得られるだけの最低限の圧力でよく、好ましくは封入圧が６６〜１０１ｋＰａ（０．６５〜１ａｔｍ）／３００Ｋとなる。なお、封入する希ガスはＸｅガス単体でもよいが、Ｘｅに加えて、Ａｒガスを減圧封入してもよく、例えば封止時の対電極酸化保護の目的でＡｒガスも１３ｋＰａ程度封入するとよい。このとき、Ａｒガスは熱伝導率がＸｅやＫｒよりも大きいので、アーク放電の断熱を考えると減圧封入が望ましい。
【００１６】
また、希ガスとして、Ｘｅに代えてＡｒまたはＫｒが３００Ｋの静状態において６６ｋＰａ〜１０１ｋＰａ（０．６５〜１ａｔｍ）となる圧力で発光空間１２内に封入されていてもよい。
【００１７】
電極２１は、高融点金属からなる芯軸２２の一端に高融点金属の線材を巻いたコイルが被せられ、該コイルの先端部側の一部が溶融して形成されてなるものである。電極２１の材料としては、高圧放電ランプの電極として従来から用いられている材料でよく、例えば主成分組成のタングステン（Ｗ）に対してＡｌ，Ｃａ，Ｃｒ，Ｃｕ，Ｆｅ，Ｍｇ，Ｍｎ，Ｎｉ，Ｓｉ，Ｓｎ，Ｎａ，Ｋ，Ｍｏ，Ｕ，Ｔｈなどの元素の含有量を極力低減させた高純度タングステンであることが好ましい。
【００１８】
ショートアーク型超高圧水銀灯１０は、外部電源から一対のリード線２４、Ｍｏ箔２３、芯軸２２を経由して２本の電極２１間に電圧を印加することにより、電極２１間にアーク放電を発生させ、その際発生する光を取り出すものである。また、このショートアーク型超高圧水銀灯１０の点灯時には、特に電極先端のアークスポット周辺は３０００Ｋを超える高温となり、電極２１からその構成材料であるＷが蒸発し、石英管１１の内面に付着するようになるが、発光空間１２内に封入されているハロゲンの作用によりこの蒸発したＷを管壁近傍でハロゲン化し、再び浮遊して高温の電極近傍で熱解離によってＷとなり、元の電極２１に戻されて石英管１１の黒化を抑制することができる。これをハロゲンサイクルと称する。
【００１９】
つぎに、本発明のショートアーク型超高圧水銀灯１０の作成プロセスを説明する。
図２は、本発明のショートアーク型超高圧水銀灯１０の作成プロセスの概略図である。
本発明のショートアーク型超高圧水銀灯１０の作成に当っては、まず透光性かつ耐熱性の発光管容器として石英管（石英バルブ）１１を用意する。または、透光性セラミックを使用しても良い。また、１対の電極部材としては、主にタングステン（Ｗ）からなる電極２１と芯軸２２、さらに外部への電気的導通と放熱を目的とする主にモリブデン（Ｍｏ）などから成る箔２３とリード線２４を溶接などによって固着して電極組立品２とし、その一対の電極組立品２Ａ，２Ｂを用いる（図２（ａ））。電極２１と芯軸２２はタングステンにレニウム（Ｒｅ）やカリウム（Ｋ）などの脆化抑制物質を混合してもよい。また、モリブデン箔２３には、必要に応じて表面改質（凹凸化や酸化物コーティング）を施してもよい。１対の電極間隔２００は、０．７〜１．３ｍｍに設定する。
【００２０】
以降は主にＡｒガス雰囲気で露点温度が−８０℃以下などに制御されたグローブボックス内で行うことが多い。まず石英管１１の片側一端１１Ｂは仮封止されている。この石英管１１の片側に電極組立品２Ａを挿入し、排気装置に接続して管内を排気した後に石英管１１の電極挿入端（石英管１１の枝管端部）１１Ａをプラズマトーチなどによって仮封止し密封状態にする（図２（ｂ））。この時、内部には３００Ｋ付近でＡｒガスを減圧封入しておく。封入ガスはＡｒの他、ＸｅやＫｒ、または窒素（Ｎ２）等でも良い。
【００２１】
その後、グローブボックスから取り出し、ＣＯ２レーザーや酸水素バーナーによって、電極挿入側枝管部１１１をシュリンク（減圧）封止（一次封止）する（図２（ｃ））。
【００２２】
次に、１次封止が終了した石英管１１を再度グローブボックス内に入れ、仮封止部をカットし、石英管１１内に水銀３１と、必要に応じてハロゲンサイクル用に臭化水銀（ＨｇＢｒ２）などのハロゲン物質３２を封入し、さらに希ガス３３を３００Ｋ付近で減圧封入する。この時、希ガス３３としてＸｅが３００Ｋで４０ｋＰａ〜１５２０ｋＰａ（０．４〜１５ａｔｍ）となる圧力で封入される。あるいはＡｒまたはＫｒが３００Ｋで６６ｋＰａ〜１０１ｋＰａ（０．６５〜１ａｔｍ）となる圧力で封入される。次に他方（２次側）の電極組立品２Ｂを所望の（１次との）電極間隔２００を設定して挿入し、１次封止と同様に石英管１１の枝管端部１１Ｂを仮封止（２次仮封止）する（図２（ｄ））。
【００２３】
ついで再度、第２仮封止済み石英管１１をグローブボックス外に出し、枝管部１１２を１次封止と同じくＣＯ２レーザーや酸水素バーナーによってシュリンク封止（２次封止）する（図２（ｅ））。この時、管球部を封止側と反対側から液体窒素によって冷却し、内部の水銀や希ガス等の封入物質が蒸発しないよう液化凝縮してトラップしながら加熱封止を行う。これにより、図１に示した本発明のショートアーク型超高圧水銀灯１０が完成する。
【００２４】
なお、他の封止方法としては、前述のような仮封止を行わず、排気装置に接続したまま排気後希ガス封入、さらに封止まで行う方法でもよいし、シュリンク封止でなく機械的に石英管を押さえるピンチシールによって封止しても良い。
【００２５】
つぎに、図３に本発明に係る光源装置の構成を示す。
本発明の光源装置は、前述した本発明のショートアーク型超高圧水銀灯と、該ショートアーク型超高圧水銀灯の発する光を反射するリフレクタとを備えることを特徴とするものである。詳しくは、両端の枝管を必要な長さにカットした封止済のショートアーク型超高圧水銀灯１０を用いて、両端からモリブデンのリード２４を張り出させた状態でリフレクタ（反射ミラー）４にアライメント挿入固着されてなるものである。また必要に応じて前面パネルガラス５が、それぞれセラミック系接着剤などによって固着してもよい。なお、前面パネルガラス５は図示したように密閉型のみならず、リフレクタ４との空間を密閉しないタイプもある。リフレクタ４の詳細は図示していないが、その内側表面に複数の酸化物をコーティングした反射膜が事前に形成されてある。
【００２６】
また、本発明に係る投射型画像表示装置（液晶プロジェクタ）は、この光源装置を内部に組み込み搭載したことを特徴とするものである。例えば透過型液晶プロジェクタ内に搭載された本発明のショートアーク型超高圧水銀灯の光は、フライアイレンズによって輝度ムラが均一化された後、ダイクロイックミラーによってＲｅｄ、Ｇｒｅｅｎ、Ｂｌｕｅの各液晶パネルを透過する波長領域に分けられ、それぞれの液晶パネルを透過した光は再び合成され、投射レンズによってスクリーン上に投射される構成となっている。なおいうまでもないが、本発明の液晶プロジェクタには反射型液晶を使用するものもある。
【００２７】
つぎに、本発明の液晶プロジェクタを用いたリアプロジェクタ装置について説明する。
図４は、リアプロジェクタ装置の構成を示す概略図である。
リアプロジェクタ装置１００は、前述した本発明の液晶プロジェクタ（光学エンジン）１１１と、液晶プロジェクタ１１１からの投射光（プロジェクタ光）ＬＰを反射する反射ミラー１１２と、反射ミラー１１２の反射光ＬＲが背面側から投影され、映像光Ｌｉとして視聴者側に放射するスクリーン１１０とを備えている。
【００２８】
反射ミラー１１２は、画像光であるプロジェクタ光ＬＰを反射して、スクリーン１１０に投射するものであり、リアプロジェクタ装置において従来公知のものでよい。
【００２９】
本発明の液晶プロジェクタ１１１を用いたリアプロジェクタ装置１００によれば、本発明のショートアーク型超高圧水銀灯１０を備えているので、起動後直ちにスクリーン輝度が立ち上がり、従来のブラウン管方式のＴＶ並み以上に高速出画化が可能となる。
【実施例】
【００３０】
以下、本発明のショートアーク型超高圧水銀灯の効果を検証した例を説明する。
（実施例１）
希ガス単体で封入圧を上げるため、液化温度の比較的高いＸｅ（−１０８℃）を単体で高圧封入したショートアーク型放電灯１０’（図１に示した本発明のショートアーク型超高圧水銀灯１０において水銀が封入されていないもの）を試作評価した。
すなわち、前述したショートアーク型超高圧水銀灯１０の作成プロセス（図２）に従い、つぎの手順でサンプルを作成した。
【００３１】
（Ｓ１１）まず、石英管１１（放電空間（発光空間）１２の容積５０ｍｍ３）と、１対の電極組立品２Ａ，２Ｂ（Ｗから成る電極２１（重量３０ｍｇ）ならびに芯軸２２（φ０．３ｍｍ）とＭｏ箔２３（ｔ２０μｍ）およびＭｏリード線２４を抵抗溶接したもの）を用意した（図２（ａ））。
（Ｓ１２）つぎに、石英管１１及び電極組立品２Ａ，２Ｂを主にＡｒガス雰囲気で露点温度が−８０℃以下に制御されたグローブボックス内に入れ以降の作業を行った。まず石英管１１の片側一端１１Ｂを仮封止し、この石英管１１の片側に電極組立品２Ａを挿入し、排気装置に接続して管内を排気した後に石英管１１の電極挿入端１１Ａをプラズマトーチで仮封止し密封状態にした（図２（ｂ））。この時、内部には３００Ｋ付近でＡｒガスを減圧封入しておいた。
（Ｓ１３）その後、グローブボックスから取り出し、ＣＯ２レーザーによって、電極挿入側枝管部１１１をシュリンク（減圧）封止（一次封止）した（図２（ｃ））。
（Ｓ１４）次に、１次封止が終了した石英管１１を再度グローブボックス内に入れ、仮封止部をカットし、石英管１１内にＸｅガスのみを０．１ａｔｍ（１０ｋＰａ）、１．４ａｔｍ（１４２ｋＰａ）、３．１ａｔｍ（３１４ｋＰａ）、５ａｔｍ（５０７ｋＰａ）、７ａｔｍ（７０９ｋＰａ）の５水準に圧力を変化させて３００Ｋ付近で封入した。次に他方（２次側）の電極組立品２Ｂを電極間隔２００を１ｍｍとして設定して挿入し、１次封止と同様に石英管１１の枝管端部１１Ｂを仮封止（２次仮封止）した（図２（ｄ））。
（Ｓ１５）ついで再度、第２仮封止済み石英管１１をグローブボックス外に出し、枝管部１１２を１次封止と同じくＣＯ２レーザーによってシュリンク封止（２次封止）した（図２（ｅ））。この時、管球部を封止側と反対側から液体窒素によって冷却し、内部の封入物質が蒸発しないよう液化凝縮してトラップしながら加熱封止を行い、ショートアーク型放電灯１０’のサンプルを得た。
【００３２】
得られたサンプル（Ｘｅ圧力を変えて（希ガスのみ）単体封入したショートアーク型放電灯１０’）を図３に示す光源装置に組み込み、さらに該光源装置を搭載した液晶プロジェクタをソニー（株）製の市販のリアプロジェクタに組み込みこんだ。このリアプロジェクタにおいてスクリーンに白色の画像光を投射しスクリーン輝度の立ち上がりを測定した。その結果を図５に示す。ここでは、液晶プロジェクタの起動後の時間経過とスクリーン中央のスクリーン輝度の変化を示している。また、図６にＸｅガス封入圧力と液晶プロジェクタ起動後５ｓｅｃ後のスクリーン輝度との関係を示した。図５，図６に示すようにＸｅ封入圧力が増すと、自然対数カーブでスクリーン輝度が上昇することがわかる。この関係はＫｒガスでも同様に得られるが、熱伝導率が小さいＸｅが、断熱という観点からもショートアーク型超高圧水銀灯には最適である。また、スクリーン輝度はランプ電流を上げれば比例して上がることが知られているが、この場合、電極加熱による蒸発〜電極ギャップ変化等の信頼性特性に大きな影響が考えられることから、Ｘｅ封入圧力アップのほうが効果も大きく好ましい。また、実験結果（図６）から、Ｘｅ封入圧力アップによる方法については、必ずしも大気圧以上の陽圧である必要はなく、４０ｋＰａ（０．４ａｔｍ）以上であればスクリーン輝度が３ｃｄ／ｍ２（ｎｉｔ）以上となり、明るい部屋でも目視で出画を認識できるレベルの輝度が得られることがわかった。
【００３３】
（実施例２）
実施例１において、前記ショートアーク型放電灯１０’の作成プロセスのうち、ステップＳ１４の条件を以下の通りとし、それ以外は実施例１と同様にしてショートアーク型放電灯１０’のサンプルを得た。
（ステップＳ１４の条件）１次封止が終了した石英管１１を再度グローブボックス内に入れ、仮封止部をカットし、石英管１１内にＡｒガスのみを０．１ａｔｍ（１０ｋＰａ）、１ａｔｍ（１０１ｋＰａ）の２水準に圧力を変化させて３００Ｋ付近で封入した。次に他方（２次側）の電極組立品２Ｂを電極間隔２００を１ｍｍとして設定して挿入し、１次封止と同様に石英管１１の枝管端部１１Ｂを仮封止（２次仮封止）した（図２（ｄ））。
【００３４】
実施例１と同様にして、得られたサンプルを図３に示す光源装置に組み込み、さらに該光源装置を搭載した液晶プロジェクタをソニー（株）製の市販のリアプロジェクタに組み込みこんだ。このリアプロジェクタにおいてスクリーンに白色の画像光を投射しスクリーン輝度の立ち上がりを測定した。その結果を図６にＡｒのプロットとして示す。スクリーン輝度の立ち上がりは実施例１のＸｅガスの場合とほぼ同じ結果であった。
【００３５】
（実施例３）
実施例１において、前記ショートアーク型超高圧水銀灯１０の作成プロセスのうち、ステップＳ１４の条件を以下の通りとし、それ以外は実施例１と同様にしてショートアーク型超高圧水銀灯１０のサンプルを得た。
（ステップＳ１４の条件）１次封止が終了した石英管１１を再度グローブボックス内に入れ、仮封止部をカットし、石英管１１内に水銀を１０ｍｇ、臭化水銀を０．０１ｍｇを封入し、さらに、Ｘｅガスを３００Ｋ付近において９１．２ｋＰａ（０．９気圧）の圧力で封入した。次に他方（２次側）の電極組立品２Ｂを電極間隔２００を１ｍｍとして設定して挿入し、１次封止と同様に石英管１１の枝管端部１１Ｂを仮封止（２次仮封止）した（図２（ｄ））。
【００３６】
得られたショートアーク型超高圧水銀灯１０のサンプルを図３に示す光源装置に組み込み、さらに該光源装置を搭載した液晶プロジェクタとしたところ、起動後直ちにスクリーン輝度が立ち上がり、出画時間が従来のＴＶ受像機並み以上に高速化でき、なおかつ事前の起動からの冷却時間によらず安定化させることができた。
【図面の簡単な説明】
【００３７】
【図１】本発明に係るショートアーク型超高圧水銀灯の構成を示す断面図である。
【図２】本発明に係るショートアーク型超高圧水銀灯の作成プロセスを示す工程図である。
【図３】本発明に係る光源装置の構成を示す断面図である。
【図４】本発明の光源装置を用いたリアプロジェクタ装置の構成を示す概略図である。
【図５】実施例１における起動後の時間とスクリーン輝度との関係を示す図である。
【図６】実施例１，２における希ガス封入圧力とスクリーン輝度との関係を示す図である。
【符号の説明】
【００３８】
２，２Ａ，２Ｂ…電極組立品、４…リフレクタ、５…全面パネルガラス、１０…ショートアーク型超高圧水銀灯、１１…石英管、１１Ａ，１１Ｂ…枝管端部、１１１，１１２…枝管部、１２…発光空間（放電空間）、２１…電極、２２…芯軸、２３…Ｍｏ箔、２４…リード線、３１…水銀、３２…ハロゲン物質、３３…希ガス、１００…リアプロジェクタ装置、１１０…スクリーン、１１１…光源、１１２…反射ミラー、２００…電極間隔
【図１】
2008103159.tif 000003
【図２】
2008103159.tif 000004
【図３】
2008103159.tif 000005
【図４】
2008103159.tif 000006
【図５】
2008103159.tif 000007
【図６】
2008103159.tif 000008